(57)【特許請求の範囲】
【請求項１】
複数の印字ベルトを回転可能に懸装してなる回転印体を昇降可能に内蔵し、下端に前記印字ベルトが露呈する窓孔を有する円形のマスター印字体を備えてなる回転印本体の下部に、外周壁と上下端面が開口した連結筒部との間に下方を開口した環状溝を有する外枠体を設け、前記環状溝には調節リングを回転可能に配設すると共に上下端面が開口した外周印枠の上方を回転可能に挿入して、該外周印枠の上面を調節リングの下面に当接し、前記連結筒部の下端には前記調節リングと前記外周印枠を弾発手段により常時上方に弾発支持された状態に保持する保持部材を設け、外周印枠の下端にはマスター印字体の外周に位置する外周印字体を有する外周印体を設け、更に、前記環状溝の上面内壁と前記調節リングの上面のうち一方に傾斜部、他方に前記傾斜部に当接する案内突部を設け、調節リングを回転させることにより前記傾斜部と前記案内突部が摺接して外周印枠が昇降することを特徴とする回転印。
【請求項２】
前記弾発手段を保持部材に一体成形し、該弾発手段の上面が外周印枠の段部に当接することにより調節リングと外周印枠が常時上方に弾発支持されることを特徴とする請求項１に記載の回転印。
【請求項３】
前記弾発手段をコイルスプリングとし、該コイルスプリングを保持部材の上面と外周印枠の段部との間に配設することにより調節リングと外周印枠が常時上方に弾発支持されることを特徴とする請求項１に記載の回転印。
【発明の詳細な説明】
【０００１】
【発明の属する技術分野】
本発明は、印字面が複数の印字ベルトと、マスター印字体と、マスター印字体の外周に回転可能に設けられる外周印字体とからなる回転印に関するものである。
【０００２】
【従来の技術】
印字面が複数の印字ベルトとマスター印字体とからなり、日付と社名・部署名・個人名等を同時に捺印することができる回転印は古くから広く知られており、例えば実公平３−２５９７４号や特開平９−２７７６８０号に開示されている。そして、この種の回転印は通常、複数の印字ベルトを回転可能に保持してなる回転印体を昇降させる高さ調節機構を備えている。
【０００３】
通常、印字ベルトとマスター印字体は別々に製造されるため、ほとんどの場合は印字ベルトとマスター印字体の印字部分の高さに若干の誤差が生じるものである。従って、別々に製造された印字ベルトとマスター印字体を備える回転印を組み付けた際、ほとんどの場合は印字ベルトとマスター印字体の印字面の高さに若干のズレが生じて印字面は同一面にならず、組み付けた状態のままで捺印したとしても印影にムラが生じてしまい、鮮明な印影を得ることができない。又、印字ベルトを回転して印字面を変更した際に、変更前には同一面であった印字ベルトとマスター印字体の印字面が同一面でなくなったり、長期間使用しているうちに印字ベルトの印字面やマスター印字体の印字面が摩耗したりすることが原因で印字ベルトとマスター印字体の印字面が同一面でなくなったりして、使用しているうちに鮮明な印影を得ることができなくなることもある。そこで、常時鮮明な印影を得ることができるように、同一面でない印字ベルトとマスター印字体の印字面の高さを微調整するのが、前記した高さ調節機構である。
【０００４】
一方、前記したような回転印のマスター印字体の外周に、実公昭５３−６５０９号や実公昭５３−５１２０７号や実開昭４８−１０８０７９号に開示されているような環状の外周印字体を回転可能に設けることにより、図１０に示すように印字面が印字ベルトとマスター印字体と外周印字体とからなる回転印とすることもできる。そして、印字面が印字ベルトとマスター印字体と外周印字体とからなる場合においても、印字ベルトとマスター印字体と外周印字体はそれぞれ別々に製造されるため、そのような印字ベルトとマスター印字体と外周印字体を備える回転印を組み付けたとしても、組み付けた状態そのままでは印字ベルトとマスター印字体と外周印字体の印字面の高さにズレが生じて印字面が同一面にならないのがほとんどであり、その状態で捺印したとしても鮮明な印影を得ることはほとんどできないものである。従って、印字面が印字ベルトとマスター印字体と外周印字体とからなる場合においても、印字ベルトとマスター印字体と外周印字体の３つの印字面が常に同一面になるように印字面の高さを微調整することができなければならない。
【０００５】
【発明が解決しようとする課題】
ところが、印字ベルトとマスター印字体の印字面の高さの微調整は前記したような従来より知られている高さ調節機構により行なうことができるが、微調整を済ませた印字ベルトとマスター印字体の印字面と外周印字体の印字面の高さを微調整することができる回転印は未だ実用化されていない。そこで、本発明は印字面が印字ベルトとマスター印字体と外周印字体とからなる回転印において、印字ベルトとマスター印字体の印字面と外周印字体の３つの印字面の高さを微調整することができ、常時ムラのない鮮明な捺印をすることができる回転印を提供することを目的とする。
【０００６】
【課題を解決するための手段】
本発明は前記した課題を解決するために、複数の印字ベルトを回転可能に懸装してなる回転印体を昇降可能に内蔵し、下端に前記印字ベルトが露呈する窓孔を有する円形のマスター印字体を備えてなる回転印本体の下部に、外周壁と上下端面が開口した連結筒部との間に下方を開口した環状溝を有する外枠体を設け、前記環状溝には調節リングを回転可能に配設すると共に上下端面が開口した外周印枠の上方を回転可能に挿入して、該外周印枠の上面を調節リングの下面に当接し、前記連結筒部の下端には前記調節リングと前記外周印枠を弾発手段により常時上方に弾発支持された状態に保持する保持部材を設け、外周印枠の下端にはマスター印字体の外周に位置する外周印字体を有する外周印体を設け、更に、前記環状溝の上面内壁と前記調節リングの上面のうち一方に傾斜部、他方に前記傾斜部に当接する案内突部を設け、調節リングを回転させることにより前記傾斜部と前記案内突部が摺接して外周印枠が昇降することを特徴とする回転印である。そして、前記弾発手段を保持部材に一体成形し、該弾発手段の上面が外周印枠の段部に当接することにより調節リングと外周印枠が常時上方に弾発支持されたり、前記弾発手段をコイルスプリングとし、該コイルスプリングを保持部材の上面と外周印枠の段部との間に配設することにより調節リングと外周印枠が常時上方に弾発支持されるものである。
【０００７】
【発明の実施の形態】
以下、本発明の好ましい実施の形態について図面を用いて詳細に説明する。図１〜図５は本発明の第１の実施例を示すものである。１は回転印本体である。この回転印本体１の構成は、本願出願人が先に出願した特開平９−２７７６８０号に開示されたものと同様のものであり、内部に回転印体４を昇降可能に組み込んだ主ケース２の下端にマスター印体１２を装着してあり、主ケース２の外側には常時は前記回転印体の回転子を覆い隠す円筒状の外ケース３を昇降可能に抜け止め状に装着してあるものである。
【０００８】
そして、回転印体４はコ字状の枠５の中間位置に軸６にて回転可能に軸支された複数の回転子７と枠５の下端に設けられた橋架片８との間に複数の印字ベルト９を懸装してなるもので、枠５の上面に立設されたねじ棒１０に螺着された調節部材１１を回転させることにより主ケース２内を昇降するよう主ケース２内に組み込まれているものであり、マスター印体１２は中央に窓孔１５を有する円形のマスター印受け１３に前記窓孔１５に対応する窓孔１６を有する円形のマスター印字体１４を貼付してなるもので、前記窓孔１５、１６から回転印体４の橋架片８に整列した印字ベルト９が露呈するようになっている。
【０００９】
又、主ケース２の側面対向位置には、回転印体４の回転子７が露呈する開口部１７が設けてあるので、図４に示す状態において外ケース３により覆い隠されている回転印体４の回転子７は、図５に示すように外ケース３を上方に位置させることにより外部に露呈して回転操作可能となる。
【００１０】
更に、主ケース２の下部外周面には環状凸部１８が設けてあり、外ケース３の上部には調節部材１１を覆い隠すキャップ１９が着脱可能に嵌着してある。
【００１１】
２０は回転印本体１の下部に設けられた外枠体である。この外枠体２０は、環状の外周壁２１の内側に上下端面が開口した円筒状の連結筒部２２を設け、その外周壁２１と連結筒部２２との間に下方を開口した環状溝２３を設けてなるものである。そして、連結筒部２２の内壁上方には環状凸部２４を設けてあり、この環状凸部２４と前記主ケース２の環状凸部１８とを係合させて連結筒部２２を主ケース２の下部に嵌着させることにより、該外枠体２０は回転印本体１の下部に抜け止め状に設けられるものである。又、連結筒部２２の内壁下方には後述する保持部材３９を嵌着するための係止溝２８を対向して２つ設けてある。
【００１２】
そして、環状溝２３の上面内壁２３ａには傾斜部２５を一定の間隔で４つ設けてある。この傾斜部２５は図２に示すように側面から見た場合において上面内壁２３ａの周方向左回りの方向に下向きに傾斜していものであり、本実施例における環状溝２３の上面内壁２３ａから傾斜部２５の最下点２５ａまでの寸法は１．０ｍｍとしてある。又、本実施例では１つの傾斜部２５を周方向に４０°に渡って設けてある。
【００１３】
又、外周壁２１の一部には波状突起２７を有する孔部２６を設けてある。この孔部２６は傾斜部２５の傾きと同じ傾きで設けられ、かつ、傾斜部２５の周方向の寸法を超えない範囲内で設けられるものである。即ち、本実施例では傾斜部２５を４０°に渡って設けてあるので、孔部２６はその４０°の範囲内で設けられる。
【００１４】
２９は外枠体２０の環状溝２３に回転可能に配設された環状の調節リングであり、上面には前記環状溝２３の上面内壁２３ａの４つの傾斜部２５に対応する４つの案内突部３０を設けてある。そして、この案内突部３０は本実施例では図２に示すように側面から見た場合において前記傾斜部２５と対称となるように周方向右回りの方向に上向きに傾斜している形状としており、調節リング２９の上面から案内突部３０の最上点３０ａまでの寸法と、案内突部３０の周方向の寸法は前記傾斜部２５と同一としている。そして、この案内突部３０は前記傾斜部２５と常時当接するものである。又、該調節リング２９の外周面の１ヶ所には、外枠体２１の外周壁２０にある孔部２６より外側に突出して、該調節リング２９を外部から回転操作するための操作部３１を設けてある。この操作部３１は、図２（ａ）に示すように傾斜部２５の全体と案内突部３０の全体が当接して傾斜部２５と案内突部３０が完全に合致している時に、図４に示すように前記孔部２６の上方端部に位置するように設けてあるもので、操作部３１は孔部２６の波状突起２７と係合するものである。尚、この調節リング２９を外枠体２０の環状溝２３に配設する場合は、操作部３１を孔部２６に内側から無理入れしながら環状溝２３内に挿入するものである。
【００１５】
３２は上下端面が開口した環状の外周印枠であり、上方には前記外枠体２０の環状溝２３に回転可能に挿入されて上面が調節リング２９の下面に当接する円筒部３３を設けてある。又、この外周印枠３２の円筒部３３と外周壁３４の間には外枠体２０の外周壁２１の下方が収まる環状溝３５を設けてあり、円筒部３３の下部には表面全体に波状の凹凸部３７を有する環状の段部３６を設けてある。更に、外周壁３４の内壁下方には後述する外周印体４３を嵌着するための環状の係止溝３８が設けてある。
【００１６】
３９は外枠体２０の連結筒部２２の下端に設けられた環状の保持部材である。この保持部材３９は、上方に円弧状に突出する弾力性を有する弾発手段４０を一定の間隔で４ヶ所に一体成形してあり、内周面には係止爪４１を対向して２つ設けてあるもので、係止爪４１を前記外枠体２０の連結筒部２２の係止溝２８に係止させることにより、外枠体２０の連結筒部２２の下端に嵌着されるものである。
【００１７】
そして、前記環状溝２３に調節リング２９を回転可能に配設すると共に外周印枠３２の円筒部３３を回転可能に挿入した状態で該保持部材３９を連結筒部２２の下端に嵌着することにより、保持部材３９の弾発手段４０の上面が外周印枠３２の段部３６に常時当接するものとしているので、これにより、調節リング２９と外周印枠３２は弾発手段４０により常時上方に弾発支持された状態で保持されることとなる。又、弾発手段４０の弾発力により環状溝２３の傾斜部２５と調節リング２９の案内突部３０は常時当接するものとなる。そして、図２（ａ）に示すように傾斜部２５の全体と案内突部３０の全体が当接して、傾斜部２５と案内突部３０が完全に合致している時、前記外周印枠３２は最上部に位置するものとなる。又、前記した４つの弾発手段４０のうちの１つの上面には外周印枠３２の段部３６の凹凸部３７と係合する突起４２を設けてある。
【００１８】
４３は前記外周印枠３２の下端に設けられた外周印体であり、環状の外周印受け４４の下面に環状の外周印字体４５を貼付してなるものである。そして、外周印受け４４の上方外壁面には環状の係止凸部４６を設けてあり、この係止凸部４６を前記外周印枠３２の外周壁３４の係止溝３８に係止することにより、外周印体４３は外周印枠３２の下端に嵌着されるものである。
【００１９】
次に、前記のような構成とした本実施例による回転印の使用方法について説明する。まず、印字面を所望の印字内容に設定する場合は、図５に示すように外ケース３を上方に位置させて回転子７を回転させて印字ベルト９を所望の印字内容にすると共に、外周印枠３２を回転させて外周印字体４５を所望の印字内容にすれば良い。尚、外周印枠３２の段部３６の波状の凹凸部３７と保持部材３９の弾発手段４０の突起４２は常時係合しているので、外周印枠３２は常時回転が規制されて勝手に回転してしまうことはなく、又、外周印枠３２を回転させる際には適度なクリック感が使用者に伝わり、外周印字体４５の位置決めが容易に行えるものである。
【００２０】
そして、印字ベルト９とマスター印字体１４の印字面の高さを微調整する場合には、キャップ１９を外して調節部材１１を回転操作することによりにより回転印体４が昇降するので、これにより印字ベルト９とマスター印字体１４の印字面の高さを微調整することができる。
【００２１】
次に、微調整を済ませた印字ベルト９とマスター印字体１４の印字面（回転印本体１の印字面）と、外周印字体４５の印字面の高さを微調整する場合には、外枠体２０の外周壁２１の孔部２６より突出している操作部３１を孔部２６内で移動させて調節リング２９を回転させれば良く、図４に示すように孔部２６の上方端部に位置している操作部３１を孔部２６の下方端部の方向に移動させて、調節リング２９を図２（ａ）において左方向に回転させると、図２（ａ）に示すように傾斜部２５と当接して完全に合致していた案内突部３０は傾斜部２５に案内されて摺接移動して、図２（ｂ）に示すように案内突部３０の最上点３０ａが傾斜部２５の最下点２５ａの方向に移動するので、これにより調節リング２９は弾発手段４０の弾発力に抗して下降し、調節リング２９の下面に当接している円筒部３３を有する外周印枠３２も弾発手段４０の弾発力に抗して下降する。これにより外周印字体４５を下降させることができる。尚、調節リング２９と外周印枠３２が弾発手段４０の弾発力に抗して下降した時、弾発手段４０は圧縮された状態となる。そして、案内突部３０の最上点３０ａが図２（ｂ）に示すように最下点２５ａに位置した時、外周印字体４５は最下部に位置することとなる。尚、外周印字体４５が最下部に位置した時、調節リング２９の操作部３１は孔部２６の下方端部に位置するものとしているので、外周印字体４５が最下部に位置した状態においては、調節リング２９はこれ以上外周印字体４５を下降させる方向に回転することはできない。
【００２２】
一方、弾発手段４０が圧縮された状態において外周印字体４５を上昇させる場合は、調節リング２９を前記した外周印字体４５を下降させる時とは逆の方向、即ち、図２（ｂ）において右方向に回転させれば良く、そのように調節リング２９を回転させると案内突部３０は傾斜部２５に案内されて摺接移動して、図２（ａ）に示すように案内突部３０の最上点３０ａが傾斜部２５の最下点２５ａから遠くなる方向に移動するので、調節リング２９と外周印枠３２は案内突部３０の最上点３０ａの位置に合わせて圧縮された弾発手段４０の弾発力により上昇する。これにより外周印字体４５を上昇させることができる。そして、図２（ａ）に示すように傾斜部２５と案内突部３０が完全に合致して、弾発手段４０が圧縮されない状態となった時、外周印字体４５は最上部に位置することとなる。尚、外周印字体４５が最上部に位置した時、調節リング２９の操作部３１は孔部２６の上方端部に位置するものとしているので、外周印字体４５が最上部に位置した状態においては、調節リング２９はこれ以上外周印字体４５を上昇させる方向に回転することはできない。
【００２３】
以上のように、操作部３１にて調節リング２９を回転させて外周印字体４５を昇降させることにより、微調整を済ませた印字ベルト９とマスター印字体１４の印字面（回転印本体１の印字面）と、外周印字体４５の印字面の高さを微調整することができる。そして、以上のようにして３つの印字面の高さを微調整することにより、３つの印字面について鮮明な印影を得ることができることとなる。尚、本実施例では環状溝２３の上面内壁２３ａから傾斜部２５の最下点２５ａまでの寸法を１．０ｍｍとしてあるので、外周印字体４５の印字面の高さの微調整はその１．０ｍｍの範囲内で行うことができる。
【００２４】
そして、操作部３１は孔部２６の波状突起２７に常時係合しているので、調節リング２９は常時回転が規制されており、操作部３１を操作しない限り勝手に回転してしまうことがない。従って、微調整した外周印字体４５の印字面の高さが勝手にずれてしまうこともない。又、操作部３１が波状突起２７に係合することにより、調節リング２９を回転させる際には適度なクリック感が使用者に伝わり、外周印字体４５の高さの微調整は波状突起２７のピッチに合わせて段階的に行うことができる。
【００２５】
以上が本発明の第１の実施例である。尚、第１の実施例では弾発手段４０を保持部材３９に４ヶ所に一体成形してあるが、この弾発手段４０は必ずしも４ヶ所に一体成形する必要はなく、その数は特に限定されるものではない。但し、調節リング２９と外周印枠３２確実に上方に弾発支持させるためには、弾発手段４０は少なくとも２ヶ所以上に一体成形することが望ましく、２ヶ所に一体成形する場合には該弾発手段４０は対向して設けることが望ましい。
【００２６】
次に、本発明の第２の実施例について図６、図７を用いて説明する。尚、ここでは前記した第１の実施例と異なる点についてのみ説明する。環状溝２３に挿入されて調節リング２９の下面に当接している外周印枠３２の上方端部には段部３６を設けてあり、外枠体２０の連結筒部２２の下端には保持部材３９を設けてある。そして、この保持部材３９は、その上面と外周印枠３２の段部３６との間にコイルスプリング４０ａを配設した状態で係止爪４１を連結筒部２２の係止溝２８に係止させて連結筒部２２の下端に嵌着されているものであり、これにより、調節リング２９と外周印枠３２はコイルスプリング４０ａにより常時上方に弾発支持された状態に保持されることとなる。つまり、第２の実施例は、前記第1の実施例において保持部材３９に一体成形されていた弾発手段４０を、保持部材３９とは別体のコイルスプリング４０ａとしたものである。尚、第２の実施例おける外周印枠３２は、第１の実施例において設けてあった円筒部３３と環状溝３５を設けていないものである。
【００２７】
又、段部３６の表面全体には波状突起（図示せず）を、連結筒部２２の外壁対向位置には該連結筒部２２の下端まで延びる２つの縦長の係止溝５０を設けてあり、更に、コイルスプリング４０ａの上面と外周印枠３２の段部３６との間には、下面がコイルスプリング４０ａの上面に常時当接し、上面が外周印枠３２の段部３６に常時当接する規制リング４７が回り止め状に配設されている。この規制リング４７は、図７に示すように、上面の対向位置には前記波状突起（図示せず）と常時係合する２つの突起４８を、内周面の対向位置には前記係止溝５０に周方向に係止する２つの係止凸部４９を設けてあるものである。そして、この係止凸部４９が係止溝５０に周方向に係止することにより規制リング４７は回り止め状となるものである。尚、このように規制リング４７を配設した場合、調節リング２９と外周印枠３２は規制リング４７と共に上方に弾発支持されることとなる。
【００２８】
以上が前記した第１の実施例と異なる点であり、この他の構成については前記した第１の実施例と同様である。そして、第２の実施例における回転印にて外周印字体４５の印字面の高さを微調整する場合は、前記した第１の実施例と同様の操作で調節リング２９を回転させることにより、該調節リング２９がコイルスプリング４０ａの弾発力に抗して下降した場合には外周印枠３２も下降して外周印字体４５が下降し、調節リング２９がコイルスプリング４０ａの弾発力により上昇した場合には外周印枠３２も上昇して外周印字体４５が上昇する。尚、調節リング２９と外周印枠３２が昇降する時、規制リング４７の係止凸部４９が係止溝５０に案内されて、規制リング４７も同時に昇降するものである。
【００２９】
又、第２の実施例における回転印において、外周印字体４５を所望の印字内容にするために外周印枠３２を回転させる際には、外周印枠３２の段部３６の波状突起（図示せず）と規制リング４７の突起４８が常時係合しているので、使用者には適度なクリック感が伝わり、外周印字体４５の位置決めが容易に行えるものであり、又、外周印枠３２は常時は回転が規制されて勝手に回転してしまうことはないものである。
【００３０】
以上が本発明の第２の実施例である。尚、第２の実施例ではコイルスプリング４０ａの上面と外周印枠３２の段部３６との間に規制リング４７を配設してあるが、この規制リング４７は必ずしも設ける必要はなく、規制リング４７を設けない場合は、コイルスプリング４０ａの上面が外周印枠３２の段部３６に当接した状態で、調節リング２９と外周印枠３２が常時上方に弾発支持されることとなる。
【００３１】
以上、本発明の実施の形態として第１、第２の実施例について説明してきたが、前記した実施例では傾斜部２５は環状溝２３の上面内壁２３ａに４つ設けているが、この傾斜部２５の数は特に限定されるものではなく、例えば、環状溝２３の上面内壁２３ａ全体、つまり３６０°に渡って傾斜部２５を１つ設けたり、あるいは傾斜部２５を対向して２つ設けても良いものであり、調節リング２９の上面に設ける案内突部３０は傾斜部２５に対応して設ければ良いものである。又、前記した実施例では操作部３１を孔部２６の波状突起２７に係合させることにより調節リング２９の回転を規制して、操作部３１を操作しない限り調節リング２９が勝手に回転しないようにして、微調整した外周印字体４５の印字面の高さが勝手にずれてしまうことのないようにしてあるが、調節リング２９の回転を規制する手段は、例えば、図８に示すように傾斜部２５と案内突部３０の当接面全体にそれぞれ互い係合し合う突起２５ｂ、３０ｂを設けても、前記した実施例と同様に調節リング２９の回転を規制することができ、この調節リング２９の回転を規制する手段は特に限定されるものではない。
【００３２】
又、前記した実施例では調節リング２９の上面に設けた案内突部３０は前記傾斜部２５と対称形状となる上向きに傾斜したものとしているが、この案内突部３０は傾斜部２５にスムーズに案内されるものであれば、例えば、図９に示すように先端を円弧状にした突起状のものであっても良く、その形状は特に限定されるものではない。更に、前記した実施例では傾斜部２５を環状溝２３の上面内壁２３ａに、案内突部３０を調節リング２９の上面にそれぞれ設けているが、傾斜部２５を調節リング２９の上面に設け、案内突部３０を環状溝２３の上面内壁２３ａに設けても良い。更に、前記した実施例では環状溝２３の上面内壁２３ａから傾斜部２５の最下点２５ａまでの寸法を１．０ｍｍとして、外周印字体４５の印字面の高さの微調整をその１．０ｍｍの範囲内で行うことができるものとしているが、この微調整の範囲は特に１．０ｍｍとする必要はない。
【００３３】
【発明の効果】
以上の通り、本発明の回転印では調節リングを回転させることにより外周印枠が昇降して、マスター印字体の外周に位置する外周印字体が昇降するので、これにより、従来は不可能であった印字ベルトとマスター印字体と外周印字体の３つの印字面の高さの微調整が可能となる。従って、印字面が印字ベルトとマスター印字体と外周印字体の３つからなる回転印において、従来では３つの印字面の鮮明な印影を得ることは困難であったが、本発明の回転印により、３つの印字面の内容について常時ムラのない鮮明な印影を得ることができるようになる。
【図面の簡単な説明】
【図１】  本発明の第１の実施例の断面図である。
【図２】  本発明の第１の実施例における外周印字体４５の高さ微調整の動作説明図であり、（ａ）は外周印字体４５が最上部に位置する状態を示す図、（ｂ）は外周印字体４５が最下部に位置する状態を示す図である。
【図３】  本発明の第１の実施例の分解斜視図である。
【図４】  本発明の第１の実施例の外ケース３を下方に位置させた状態を示す正面図である。
【図５】  本発明の第１の実施例の外ケース３を上方に位置させた状態を示す正面図である。
【図６】  本発明の第２の実施例の要部断面図である。
【図７】  本発明の第２の実施例の規制リング４７の斜視図である。
【図８】  調節リング２９の回転を規制する他の手段を示す図である。
【図９】  案内突部３０の他の形態を示す図である。
【図１０】  印字ベルトとマスター印字体と外周印字体とからなる印字面を示す図である。
【符号の説明】
１  回転印本体
２  主ケース
３  外ケース
４  回転印体
５  枠
６  軸
７  回転子
８  橋架片
９  印字ベルト
１０  ねじ棒
１１  調節部材
１２  マスター印体
１３  マスター印受け
１４  マスター印字体
１５  窓孔
１６  窓孔
１７  開口部
１８  環状凸部
１９  キャップ
２０  外枠体
２１  外周壁
２２  連結筒部
２３  環状溝
２４  環状凸部
２５  傾斜部
２６  孔部
２７  波状突起
２８  係止溝
２９  調節リング
３０  案内突部
３１  操作部
３２  外周印枠
３３  円筒部
３４  外周壁
３５  環状溝
３６  段部
３７  凹凸部
３８  係止溝
３９  保持部材
４０  弾発支持部
４０ａ  コイルスプリング
４１  係止爪
４２  突起
４３  外周印体
４４  外周印受け
４５  外周印字体
４６  係止凸部
４７  規制リング
４８  突起
４９  係止凸部
５０  係止溝
【図１】
0004332251.tif 000002
【図２】
0004332251.tif 000003
【図３】
0004332251.tif 000004
【図４】
0004332251.tif 000005
【図５】
0004332251.tif 000006
【図６】
0004332251.tif 000007
【図７】
0004332251.tif 000008
【図８】
0004332251.tif 000009
【図９】
0004332251.tif 000010
【図１０】
0004332251.tif 000011